(57)【要約】【課題】ＵＳＢから供給される電力により動作する書画カメラにおいて、書画カメラにおける消費電流量の最大値を、ＵＳＢから供給可能な電流量の上限値に近づける。【解決手段】ＵＳＢから供給される電力により動作する書画カメラであって、レンズを介して被写体を撮像する撮像部と、被写体に対して光を出射する光源部と、レンズを駆動する駆動部と、ＵＳＢから供給される電流量を検出する検出部と、検出部の検出する電流量に応じて、光源部及び駆動部の動作を制御する制御部と、を備える、ことを特徴とする書画カメラ。【選択図】図３
2018201135.tif 000002
【特許請求の範囲】
【請求項１】
ＵＳＢから供給される電力により動作する書画カメラであって、
レンズを介して被写体を撮像する撮像部と、
前記被写体に対して光を出射する光源部と、
前記レンズを駆動する駆動部と、
前記ＵＳＢから供給される電流量を検出する検出部と、
前記検出部の検出する電流量に応じて、前記光源部及び前記駆動部の動作を制御する制御部と、
を備える、
ことを特徴とする書画カメラ。
【請求項２】
前記制御部は、
前記検出部の検出する電流量が所定の閾値を超えないように、
前記光源部及び前記駆動部の動作を制御する、
ことを特徴とする、請求項１に記載の書画カメラ。
【請求項３】
前記制御部は、
前記検出部の検出する電流量が所定の閾値を超えないように、
前記光源部から出射される光の明るさを制限する、
ことを特徴とする、請求項１または２に記載の書画カメラ。
【請求項４】
前記制御部は、
前記検出部の検出する電流量が所定の閾値を超えないように、
前記駆動部の駆動量の増加に応じて、
前記光源部から出射される光の明るさを低減させる、
ことを特徴とする、請求項１乃至３のうち何れか１項に記載の書画カメラ。
【請求項５】
前記駆動部は、
ボイスコイルモーターを有し、
前記レンズは、
前記ボイスコイルモーターの駆動量に応じた位置に移動し、
前記制御部は、
前記検出部の検出する電流量が所定の閾値を超えないように、
前記ボイスコイルモーターの駆動量を制限する、
ことを特徴とする、請求項１または２に記載の書画カメラ。
【請求項６】
前記駆動部は、
ボイスコイルモーターを有し、
前記レンズは、
前記ボイスコイルモーターの駆動量に応じた位置に移動し、
前記制御部は、
前記検出部の検出する電流量が所定の閾値を超えないように、
前記光源部から出射される光の明るさの増加に応じて、
前記ボイスコイルモーターの駆動量を低減させる、
ことを特徴とする、請求項１、２、または、５に記載の書画カメラ。
【請求項７】
前記書画カメラの利用者から、前記光源部及び前記駆動部のうち一方を優先して動作させる旨を指定する操作を受け付ける操作受付部を備え、
前記制御部は、
前記操作受付部が前記操作を受け付けた場合、
前記検出部の検出する電流量が所定の閾値を超えないように、
前記光源部及び前記駆動部のうち他方の動作を制限し、
前記光源部及び前記駆動部のうち一方の動作を制限しない、
ことを特徴とする、請求項１または２に記載の書画カメラ。
【請求項８】
レンズを介して被写体を撮像する撮像部と、
前記被写体に対して光を出射する光源部と、
前記レンズを駆動する駆動部と、
を備え、
ＵＳＢから供給される電力により動作する書画カメラの制御方法であって、
前記ＵＳＢから供給される電流量を検出し、
前記検出した電流量に応じて、前記光源部及び前記駆動部の動作を制御する、
ことを特徴とする書画カメラの制御方法。
【請求項９】
ＵＳＢから供給される電力により動作する電子機器であって、
第１の動作部と、
第２の動作部と、
前記ＵＳＢから供給される電流量を検出する検出部と、
前記検出部の検出結果に応じて、前記第１の動作部及び前記第２の動作部の動作を制御する制御部と、
を備える、
ことを特徴とする電子機器。
【発明の詳細な説明】
【技術分野】
【０００１】
本発明は、書画カメラ、書画カメラの制御方法、及び、電子機器に関する。
【背景技術】
【０００２】
従来から、紙面等の被写体を撮像する書画カメラ（「電子機器」の一例）が提案されている。書画カメラは、撮像して得られた画像を示す画像データを、ＵＳＢ等の信号用ケーブルを介して、プロジェクターやパーソナルコンピュータ等の表示装置に送信する。このような書画カメラにおいて、画像データを表示装置に送信するための信号用ケーブルとは別個に、書画カメラの動作に必要な電力を得るための電源用ケーブルを設ける場合、書画カメラに接続されるケーブルの本数が増加し、書画カメラの使い勝手が低下することがある。このため、書画カメラにおいては、ＵＳＢ等の信号用ケーブルを用いて、書画カメラの動作に必要な電力の供給を受ける構成が提案されている（例えば、特許文献１参照）。
【先行技術文献】
【特許文献】
【０００３】
【特許文献１】特開２０１４−０９７７３２号公報
【発明の概要】
【発明が解決しようとする課題】
【０００４】
ところで、ＵＳＢにより供給可能な電流量は、ＵＳＢの規格により上限値（「所定の閾値」の一例）が定められている。このため、ＵＳＢを用いて書画カメラに電力を供給する場合、書画カメラの消費電流が、ＵＳＢにより供給可能な電流量の上限値を超過しないように、書画カメラの動作に予め制限をかける必要がある。
しかし、書画カメラの動作に予め制限をかける場合、書画カメラにおける消費電流量のばらつきを考慮する必要がある。この場合、書画カメラにおける消費電流量の最大値は、ＵＳＢから供給可能な電流量の上限値よりも、書画カメラにおける消費電流量のばらつきに対応したマージン量だけ、低い値に抑えられることになる。すなわち、書画カメラの動作に予め制限をかける場合、書画カメラにおいて消費可能な電流量が、ＵＳＢから供給可能な電流量の上限値よりも、大きく低下する可能性が存在した。
【０００５】
本発明は、上述した事情を鑑みてなされたものであり、ＵＳＢから供給される電力により動作する書画カメラにおいて、書画カメラにおける消費電流量の最大値を、ＵＳＢから供給可能な電流量の上限値に近づけることを可能とする技術の提供を、解決課題の一つとする。
【課題を解決するための手段】
【０００６】
以上の課題を解決するために、本発明の好適な態様に係る書画カメラは、ＵＳＢから供給される電力により動作する書画カメラであって、レンズを介して被写体を撮像する撮像部と、前記被写体に対して光を出射する光源部と、前記レンズを駆動する駆動部と、前記ＵＳＢから供給される電流量を検出する検出部と、前記検出部の検出する電流量に応じて、前記光源部及び前記駆動部の動作を制御する制御部と、を備える、ことを特徴とする。
【０００７】
この態様によれば、ＵＳＢから供給される電流量の検出結果に応じて、光源部及び駆動部の動作を制御するため、ＵＳＢから供給される電流量を検出せずに光源部及び駆動部の動作を制御する場合と比較して、書画カメラが消費する電流量を、ＵＳＢから供給可能な電流量の上限値に近づけることが容易となる。
【０００８】
上述した書画カメラにおいて、前記制御部は、前記検出部の検出する電流量が所定の閾値を超えないように、前記光源部及び前記駆動部の動作を制御する、ことを特徴としてもよい。
【０００９】
この態様によれば、書画カメラの消費する電流量が、ＵＳＢから供給可能な電流量の上限値を超過しないようにすることができる。
【００１０】
上述した書画カメラにおいて、前記制御部は、前記検出部の検出する電流量が所定の閾値を超えないように、前記光源部から出射される光の明るさを制限する、ことを特徴としてもよい。
【００１１】
この態様によれば、駆動部によるレンズの駆動に対する制限を加えることなく、書画カメラの消費する電流量に制限を加えることができる。
【００１２】
上述した書画カメラにおいて、前記制御部は、前記検出部の検出する電流量が所定の閾値を超えないように、前記駆動部の駆動量の増加に応じて、前記光源部から出射される光の明るさを低減させる、ことを特徴としてもよい。
【００１３】
この態様によれば、駆動部によりレンズを自由に駆動しつつ、書画カメラの消費する電流量に制限を加えることができる。
【００１４】
上述した書画カメラにおいて、前記駆動部は、ボイスコイルモーターを有し、前記レンズは、前記ボイスコイルモーターの駆動量に応じた位置に移動し、前記制御部は、前記検出部の検出する電流量が所定の閾値を超えないように、前記ボイスコイルモーターの駆動量を制限する、ことを特徴としてもよい。
【００１５】
この態様によれば、光源部から出射される光の明るさに対する制限を加えることなく、書画カメラの消費する電流量に制限を加えることができる。
【００１６】
上述した書画カメラにおいて、前記駆動部は、ボイスコイルモーターを有し、前記レンズは、前記ボイスコイルモーターの駆動量に応じた位置に移動し、前記制御部は、前記検出部の検出する電流量が所定の閾値を超えないように、前記光源部から出射される光の明るさの増加に応じて、前記ボイスコイルモーターの駆動量を低減させる、ことを特徴としてもよい。
【００１７】
この態様によれば、光源部から出射される光の明るさを自由に調整可能な状態を維持しつつ、書画カメラの消費する電流量に制限を加えることができる。
【００１８】
上述した書画カメラは、前記書画カメラの利用者から、前記光源部及び前記駆動部のうち一方を優先して動作させる旨を指定する操作を受け付ける操作受付部を備え、前記制御部は、前記操作受付部が前記操作を受け付けた場合、前記検出部の検出する電流量が所定の閾値を超えないように、前記光源部及び前記駆動部のうち他方の動作を制限し、前記光源部及び前記駆動部のうち一方の動作を制限しない、ことを特徴としてもよい。
【００１９】
この態様によれば、光源部または駆動部のうち、書画カメラの利用者により指定された構成要素における動作に制限を加えることなく、書画カメラの消費する電流量に制限を加えることができる。
【００２０】
本発明の好適な態様に係る書画カメラの制御方法は、レンズを介して被写体を撮像する撮像部と、前記被写体に対して光を出射する光源部と、前記レンズを駆動する駆動部と、を備え、ＵＳＢから供給される電力により動作する書画カメラの制御方法であって、前記ＵＳＢから供給される電流量を検出し、前記検出した電流量に応じて、前記光源部及び前記駆動部の動作を制御する、ことを特徴とする。
【００２１】
この態様によれば、ＵＳＢから供給される電流量の検出結果に応じて、光源部及び駆動部の動作を制御するため、ＵＳＢから供給される電流量を検出せずに光源部及び駆動部の動作を制御する場合と比較して、書画カメラが消費する電流量を、ＵＳＢから供給可能な電流量の上限値に近づけることが容易となる。
【００２２】
本発明の好適な態様に係る電子機器は、ＵＳＢから供給される電力により動作する電子機器であって、第１の動作部と、第２の動作部と、前記ＵＳＢから供給される電流量を検出する検出部と、前記検出部の検出結果に応じて、前記第１の動作部及び前記第２の動作部の動作を制御する制御部と、を備える、ことを特徴とする。
【００２３】
この態様によれば、ＵＳＢから供給される電流量の検出結果に応じて、第１の動作部及び第２の動作部の動作を制御するため、ＵＳＢから供給される電流量を検出せずに第１の動作部及び第２の動作部の動作を制御する場合と比較して、電子機器が消費する電流量を、ＵＳＢから供給可能な電流量の上限値に近づけることが容易となる。
【図面の簡単な説明】
【００２４】
【図１】本発明の実施形態に係る表示システムＳYSの一例を示す説明図である。
【図２】書画カメラ１の構成の一例を示すブロック図である。
【図３】書画カメラ１の動作の一例を示すフローチャートである。
【図４】変形例１に係る書画カメラの動作の一例を示すフローチャートである。
【発明を実施するための形態】
【００２５】
＜＜Ａ．実施形態＞＞
以下、本発明を実施するための形態について図面を参照して説明する。但し、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２６】
＜＜１．表示システムの構成＞＞
以下、図１及び図２を参照しつつ、本実施形態に係る表示システムＳYSの概要を説明する。
【００２７】
図１は、本実施形態に係る表示システムＳYSの構成の一例を説明するための説明図である。図１に示すように、表示システムＳYSは、被写体Ｓjを撮像するための書画カメラ１と、書画カメラ１が撮像して得た画像を投射面９に投射するプロジェクター８と、を備える。
【００２８】
書画カメラ１は、被写体Ｓjを撮像するための撮像部２０を備え、撮像部２０が被写体Ｓjを撮像して得た画像を表す画像データＩmgを、ＵＳＢ（Universal Serial Bus）７を介して、プロジェクター８に供給する。また、書画カメラ１は、被写体Ｓjに対して光を照射するための光源部１６と、書画カメラ１の利用者による操作を受け付けるための操作受付部１４と、を備える。なお、本実施形態では、書画カメラ１が、ＵＳＢ７を介してプロジェクター８から供給される電力により動作する、所謂、ＵＳＢ接続機器であることとする。
プロジェクター８は、ＵＳＢ７を介して書画カメラ１から供給される画像データＩmgに応じた画像を、スクリーンまたは壁等の投射面９に投射する。
【００２９】
＜＜２．書画カメラの構成＞＞
次に、図２を参照しつつ、本実施形態に係る書画カメラ１の構成を説明する。
【００３０】
図２は、本実施形態に係る書画カメラ１の構成の一例を示すブロック図である。図２に示すように、書画カメラ１は、上述した操作受付部１４、光源部１６、及び、撮像部２０に加え、書画カメラ１の各部を制御する制御部１０と、各種情報を記憶する記憶部１２と、撮像部２０を駆動するための駆動部１８と、撮像部２０による撮像結果に基づいて画像データＩmgを生成する画像処理部２２と、ＵＳＢ７に接続されたＵＳＢコネクタ３０と、ＵＳＢコネクタ３０に電気的に接続されたＵＳＢハブ２４と、ＵＳＢ７から供給される電流量を検出する検出部２８と、ＵＳＢ７から供給される電力ＰWを書画カメラ１の各部に供給する電源回路２６と、を備える。
【００３１】
記憶部１２は、例えば、ＲＡＭ（Random Access Memory）等の揮発性のメモリーと、ＰＲＯＭ（Programmable ROM）等の不揮発性メモリーと、の一方または両方を含んで構成される。記憶部１２は、書画カメラ１の制御プログラムを含む各種情報を記憶している。
【００３２】
制御部１０は、例えば、ＭＰＵ（Micro-processing unit）を含んで構成される。制御部１０は、制御部１０の有するＭＰＵが、記憶部１２に記憶されている制御プログラムを実行し、当該制御プログラムに従って動作することで、書画カメラ１の各部を制御する。具体的には、制御部１０は、光源部１６を制御するための制御信号Ｃtr-Lと、駆動部１８を制御するための制御信号Ｃtr-Dと、画像処理部２２を制御するための制御信号Ｃtr-Iと、を含む、各種制御信号を出力することで、書画カメラ１の各部の動作を制御する。
ここで、制御信号Ｃtr-Lとは、例えば、光源部１６から出射される光の明るさを指定する信号である。制御信号Ｃtr-Dとは、例えば、駆動部１８の駆動量を指定する信号である。制御信号Ｃtr-Iとは、例えば、画像処理部２２における各種処理のタイミングを指定する信号や、画像処理部２２を介して撮像部２０に対して撮像の開始及び終了を指示する信号等である。
【００３３】
撮像部２０は、レンズ２０１と、レンズ２０１を介して被写体Ｓjから入射する光を検出し、当該検出の結果を示す撮像信号Ｖdを出力する撮像素子２０２と、を備える。
【００３４】
光源部１６は、光を出射するＬＥＤ（light emitting diode）等の光源１６１と、光源１６１を駆動する光源駆動回路１６２と、を備える。このうち、光源駆動回路１６２は、制御信号Ｃtr-Lに基づいて、光源１６１に供給される電流量等を調整することで、光源１６１が、制御信号Ｃtr-Lに応じた明るさの光を出射するように、光源１６１を駆動する。
【００３５】
駆動部１８は、レンズ２０１の位置を変化させるようにレンズ２０１を駆動可能なボイスコイルモーター１８１と、ボイスコイルモーター１８１を駆動するモーター駆動回路１８２と、を備える。
このうち、モーター駆動回路１８２は、制御信号Ｃtr-Dに基づいて、ボイスコイルモーター１８１に供給される電流量等を調整することで、ボイスコイルモーター１８１を、制御信号Ｃtr-Dに応じた駆動量だけ駆動する。
また、ボイスコイルモーター１８１は、例えば、磁石とコイルとを備え、コイルと磁石との相対距離を、コイルを流れる電流量に応じて変化させることができる。このため、例えば、ボイスコイルモーター１８１の磁石を書画カメラ１のフレーム（図示省略）に固定し、ボイスコイルモーター１８１のコイルをレンズ２０１に固定することで、レンズ２０１を、レンズ２０１の基準位置から、ボイスコイルモーター１８１に供給される電流量に応じた距離だけ変位させる（繰り出す）ことができる。
【００３６】
画像処理部２２は、例えば、ＩＳＰ（Image Signal Processor）を含んで構成される。画像処理部２２は、制御信号Ｃtr-Iに従って動作することで、撮像素子２０２から出力される撮像信号Ｖdに基づいて、撮像部２０が撮像した被写体Ｓjを表す画像データＩmgを生成し、生成した画像データＩmgを、ＵＳＢハブ２４及びＵＳＢコネクタ３０を介して、ＵＳＢ７に出力する。
【００３７】
検出部２８は、ＵＳＢ７から供給される電流量を検出して、当該検出結果を示す検出信号ＸIを出力する。
【００３８】
操作受付部１４は、書画カメラ１の利用者による操作を受け付けて、当該操作の内容を示す操作信号ＯPを出力する。
本実施形態では、書画カメラ１の利用者による操作には、書画カメラ１の電源をオンする操作と、書画カメラ１の電源をオフする操作と、撮像部２０におけるレンズ２０１の位置を調整する操作と、光源部１６から出射される光の明るさを調整する操作と、光源部１６または駆動部１８のうち一方を優先して動作させる旨を指定する操作（以下、「優先操作」と奏する）と、が含まれることとする。また、本実施形態では、優先操作には、駆動部１８を優先して動作させる旨を指定する操作と、光源部１６を優先して動作させる旨を指定する操作と、が含まれることとする。
【００３９】
制御部１０は、書画カメラ１の利用者が、駆動部１８を優先して動作させる旨を指定する操作をした場合、書画カメラ１の動作モードを、レンズ位置優先モードに設定し、また、書画カメラ１の利用者が、光源部１６を優先して動作させる旨を指定する操作をした場合、書画カメラ１の動作モードを、明るさ優先モードに設定する。そして、制御部１０は、設定した動作モードの種類を示す情報を、記憶部１２に記憶させる。
ここで、レンズ位置優先モードとは、光源部１６よりも駆動部１８に対して優先的に電力を割り当てることで、駆動部１８を光源部１６よりも優先して動作させ、これにより、光源部１６から出射される光の明るさの確保よりも、撮像部２０におけるレンズ２０１の位置の調整が優先されるように動作する、書画カメラ１の動作モードである。また、明るさ優先モードとは、駆動部１８よりも光源部１６に対して優先的に電力を割り当てることで、光源部１６を駆動部１８よりも優先して動作させ、これにより、撮像部２０におけるレンズ２０１の位置の調整よりも、光源部１６から出射される光の明るさの確保が優先されるように動作する、書画カメラ１の動作モードである。
なお、本実施形態において、書画カメラ１の電源がオンした後、書画カメラ１の利用者が優先操作を行うまでの間、書画カメラ１の動作モードは、レンズ位置優先モードに設定されていることとする。
【００４０】
＜＜３．書画カメラの動作＞＞
次に、図３を参照しつつ、本実施形態に係る書画カメラ１の動作を説明する。
【００４１】
図３は、書画カメラ１の動作を説明するためのフローチャートである。このフローチャートに示される一連の処理は、書画カメラ１の利用者が操作受付部１４を操作して、書画カメラ１の電源がオンされたときに開始される。
【００４２】
図３に示すように、書画カメラ１の制御部１０は、書画カメラ１の電源がオンされた後に、優先操作が行われたか否かを判定する（Ｓ１０）。
ステップＳ１０における判定の結果が肯定の場合、制御部１０は、優先操作により設定された動作モードが、明るさ優先モードであるか否かを判定する（Ｓ１１）。
そして、ステップＳ１１における判定の結果が肯定の場合、制御部１０は、明るさ優先モードにより、書画カメラ１の各部を制御する（Ｓ２０）。
【００４３】
書画カメラ１が明るさ優先モードで動作する場合（Ｓ２０）、制御部１０は、まず、操作受付部１４が、光の明るさを調整する操作を受け付けたか否かを判定する（Ｓ２１）。
ステップＳ２１における判定の結果が肯定の場合、制御部１０は、光源部１６から出射される光の明るさを、ステップＳ２１に係る操作に応じた明るさに変更したと仮定したときに、検出信号ＸIの示す電流値が、所定の閾値Ｘthを超えることになるか否かを判定する（Ｓ２２）。なお、本実施形態では、所定の閾値Ｘthが、ＵＳＢの規格により定められた、ＵＳＢ７により供給可能な電流量の上限値（例えば、５００ｍＡ）である場合を想定する。但し、本発明はこのような態様に限定されるものではなく、所定の閾値Ｘthは、ＵＳＢ７により供給可能な電流量の上限値以下の非負の値であればよい。なお、制御部１０は、ステップＳ２１における判定の結果が否定の場合、処理を、ステップＳ２５に進める。
ステップＳ２２における判定の結果が肯定の場合、制御部１０は、駆動部１８の駆動量を低減させることを指定する制御信号Ｃtr-Dを出力する（Ｓ２３）。より具体的には、ステップＳ２３において、制御部１０は、光源部１６から出射される光の明るさを、ステップＳ２１に係る操作に応じた明るさに変更した場合であっても、検出信号ＸIが所定の閾値Ｘthを超えないように駆動部１８を制御する制御信号Ｃtr-Dを出力する。なお、制御部１０は、ステップＳ２２における判定の結果が否定の場合、処理を、ステップＳ２４に進める。
次に、制御部１０は、光源部１６から出射される光の明るさを、ステップＳ２１に係る操作に応じた明るさに変更する制御信号Ｃtr-Lを出力する（Ｓ２４）。
次に、制御部１０は、操作受付部１４が、レンズ２０１の位置を調整する操作を受け付けたか否かを判定する（Ｓ２５）。
ステップＳ２５における判定の結果が肯定の場合、制御部１０は、ステップＳ２５に係る操作に応じた位置にレンズ２０１を移動させるように、駆動部１８が駆動したと仮定したときに、検出信号ＸIの示す電流値が、所定の閾値Ｘth以下の値を維持するか否かを判定する（Ｓ２６）。なお、制御部１０は、ステップＳ２５における判定の結果が否定の場合、処理を、ステップＳ４０に進める。
ステップＳ２６における判定の結果が肯定の場合、制御部１０は、レンズ２０１が、ステップＳ２５に係る操作に応じた位置に移動するように、駆動部１８を駆動させることを指定する、制御信号Ｃtr-Dを出力する（Ｓ２７）。なお、制御部１０は、ステップＳ２６における判定の結果が否定の場合、処理を、ステップＳ４０に進める。
【００４４】
ステップＳ１０における判定の結果が否定の場合、または、ステップＳ１１における判定の結果が否定の場合、制御部１０は、レンズ位置優先モードにより、書画カメラ１の各部を制御する（Ｓ３０）。
【００４５】
書画カメラ１がレンズ位置優先モードで動作する場合（Ｓ３０）、制御部１０は、まず、操作受付部１４が、レンズ２０１の位置を調整する操作を受け付けたか否かを判定する（Ｓ３１）。
ステップＳ３１における判定の結果が肯定の場合、制御部１０は、ステップＳ３１に係る操作に応じた位置にレンズ２０１を移動させるように、駆動部１８が駆動したと仮定したときに、検出信号ＸIの示す電流値が、所定の閾値Ｘthを超えることになるか否かを判定する（Ｓ３２）。なお、制御部１０は、ステップＳ３１における判定の結果が否定の場合、処理を、ステップＳ３５に進める。
ステップＳ３２における判定の結果が肯定の場合、制御部１０は、光源部１６から出射される光の明るさを低減させることを指定する制御信号Ｃtr-Lを出力する（Ｓ３３）。より具体的には、ステップＳ３３において、制御部１０は、ステップＳ３１に係る操作に応じた位置にレンズ２０１を移動させるように、駆動部１８が駆動した場合であっても、検出信号ＸIが所定の閾値Ｘthを超えないように光源部１６を制御する制御信号Ｃtr-Lを出力する。なお、制御部１０は、ステップＳ３２における判定の結果が否定の場合、処理を、ステップＳ３４に進める。
次に、制御部１０は、レンズ２０１が、ステップＳ３１に係る操作に応じた位置に移動するように、駆動部１８を駆動させることを指定する、制御信号Ｃtr-Dを出力する（Ｓ３４）。
次に、制御部１０は、操作受付部１４が、光の明るさを調整する操作を受け付けたか否かを判定する（Ｓ３５）。
ステップＳ３５における判定の結果が肯定の場合、制御部１０は、光源部１６から出射される光の明るさを、ステップＳ３５に係る操作に応じた明るさに変更したと仮定したときに、検出信号ＸIの示す電流値が、所定の閾値Ｘth以下の値を維持するか否かを判定する（Ｓ３６）。なお、制御部１０は、ステップＳ３５における判定の結果が否定の場合、処理を、ステップＳ４０に進める。
ステップＳ３６における判定の結果が肯定の場合、制御部１０は、光源部１６から出射される光の明るさを、ステップＳ３５に係る操作に応じた明るさに変更する制御信号Ｃtr-Lを出力する（Ｓ３７）。なお、制御部１０は、ステップＳ３６における判定の結果が否定の場合、処理を、ステップＳ４０に進める。
【００４６】
その後、制御部１０は、操作受付部１４が、書画カメラ１の電源をオフする操作を受け付けたか否かを判定する（Ｓ４０）。
そして、制御部１０は、ステップＳ４０における判定の結果が肯定の場合、図３に示す処理を終了させる。他方、制御部１０は、ステップＳ４０における判定の結果が否定の場合、処置を、ステップＳ１０に進める。
【００４７】
＜＜４．実施形態の結論＞＞
以上において説明したように、本実施形態に係る書画カメラ１では、制御部１０が、検出信号ＸIの示す電流量に応じて、光源部１６を制御する制御信号Ｃtr-Lと、駆動部１８を制御する制御信号Ｃtr-Dとを生成する。このため、制御部１０が、検出信号ＸIに基づくことなく、光源部１６及び駆動部１８を制御する場合と比較して、書画カメラ１の消費電流量を、ＵＳＢ７が供給可能な電流量の上限値に近づけることが可能となる。
【００４８】
また、本実施形態に係る書画カメラ１は、レンズ位置優先モードにおいて、レンズ２０１の位置を変化させるように駆動部１８を駆動させる場合であっても、検出信号ＸIの示す電流量が、所定の閾値Ｘthを超えないように、光源部１６から出射される光の明るさを変更する（図３のステップＳ３３参照）。このため、本実施形態によれば、検出信号ＸIの示す電流値が、所定の閾値Ｘthを超過しない状態を維持しつつ、レンズ２０１の位置を自由に変更することが可能となる。
【００４９】
また、本実施形態に係る書画カメラ１は、レンズ位置優先モードにおいて、検出信号ＸIの示す電流量が、所定の閾値Ｘthを超えない場合に限り、光源部１６から出射される光の明るさを変更する（図３のステップＳ３６参照）。このため、本実施形態によれば、光源部１６から出射される光の明るさを変更することに起因して、検出信号ＸIの示す電流量が、所定の閾値Ｘthを超過することを防止することが可能である。
【００５０】
また、本実施形態に係る書画カメラ１は、明るさ優先モードにおいて、光源部１６から出射される光の明るさを変化させる場合であっても、検出信号ＸIの示す電流量が、所定の閾値Ｘthを超えないように、駆動部１８の駆動量を変更する（図３のステップＳ２３参照）。このため、本実施形態によれば、検出信号ＸIの示す電流値が、所定の閾値Ｘthを超過しない状態を維持しつつ、光源部１６から出射される光の明るさを自由に変更することが可能となる。
【００５１】
また、本実施形態に係る書画カメラ１は、明るさ優先モードにおいて、検出信号ＸIの示す電流量が、所定の閾値Ｘthを超えない場合に限り、レンズ２０１の位置を変化させる（図３のステップＳ２６参照）。このため、本実施形態によれば、レンズ２０１の位置を変化させることに起因して、検出信号ＸIの示す電流量が、所定の閾値Ｘthを超過することを防止することが可能である。
【００５２】
また、本実施形態に係る書画カメラ１は、書画カメラ１の利用者による優先操作が無い限り、書画カメラ１の動作モードを、レンズ位置優先モードに設定する（図３のステップＳ１０参照）。このため、本実施形態によれば、書画カメラ１の利用者の意に反してレンズ２０１の位置が変化することを防止することができる。
【００５３】
＜＜Ｂ．変形例＞＞
以上に例示した各形態は多様に変形され得る。具体的な変形の態様を以下に例示する。以下の例示から任意に選択された２以上の態様は、相互に矛盾しない範囲で適宜に併合され得る。
【００５４】
＜変形例１＞
上述した実施形態において、書画カメラ１は、レンズ位置優先モードと明るさ優先モードの２つの動作モードにより動作可能であるが、本発明はこのような態様に限定されるものではなく、書画カメラ１は、少なくともレンズ位置優先モードにより動作可能であればよい。
図４は、変形例１に係る書画カメラの動作を説明するためのフローチャートである。図４に示すフローチャートは、ステップＳ１０、Ｓ１１、及び、Ｓ２０の処理を実行しない点で、図３に示すフローチャートと相違する。
図４に示すように、変形例１に係る書画カメラにおいて、制御部１０は、レンズ位置優先モードにより書画カメラ１の各部を制御する処理（Ｓ３０）と、操作受付部１４が書画カメラ１の電源をオフする操作を受け付けたか否かを判定する処理（Ｓ４０）と、を実行し、明るさ優先モードにより書画カメラ１の各部を制御する処理を行わない。このため、変形例１に係る書画カメラは、書画カメラ１の利用者の意に反してレンズ２０１の位置が変化することを防止することができる。
【００５５】
＜変形例２＞
上述した実施形態及び変形例では、表示システムＳYSは、書画カメラ１から供給された画像データＩmgの示す画像を表示するためのプロジェクター８を備えるが、本発明はこのような態様に限定されるものではない。プロジェクター８は、書画カメラ１から供給された画像データＩmgの示す画像を表示する表示装置の一例である。表示装置としては、例えば、テレビ、パーソナルコンピュータ、等を採用することができる。
【００５６】
＜変形例３＞
上述した実施形態及び変形例では、表示システムＳYSは、書画カメラ１を備えるが、本発明はこのような態様に限定されるものではない。書画カメラ１は、プロジェクター８等の表示装置からＵＳＢ７を介して供給される電力により動作する電子機器の一例である。また、書画カメラ１が備える光源部１６及び駆動部１８は、表示装置からＵＳＢ７を介して供給される電力により動作する第１の動作部及び第２の動作部の一例である。
【符号の説明】
【００５７】
１…書画カメラ、７…ＵＳＢ、８…プロジェクター、９…投射面、１０…制御部、１２…記憶部、１４…操作受付部、１６…光源部、１８…駆動部、２０…撮像部、２２…画像処理部、２４…ＵＳＢハブ、２６…電源回路、２８…検出部、３０…ＵＳＢコネクタ、１６１…光源、１６２…光源駆動回路、１８１…ボイスコイルモーター、１８２…モーター駆動回路、２０１…レンズ、２０２…撮像素子。
【図１】
2018201135.tif 000003
【図２】
2018201135.tif 000004
【図３】
2018201135.tif 000005
【図４】
2018201135.tif 000006